(57)【要約】【課題】不必要な物の出品を促進させることで、不必要な物を活用できる状態とし、ごみとなってしまう量を減らして環境問題に配慮することが可能な物品交換支援装置を提供する。【解決手段】物品交換支援装置として機能するウェブサーバ３は、交換対象となる物品に関する情報が出品情報として格納される出品物データベース３ｄと、出品情報を掲載する出品物紹介ページを生成する出品物紹介ページ生成手段３ｅと、端末装置から交換対象となる物品と交換を希望する２つの物品に関する情報を交換希望物品情報として受け付け、交換希望物品情報を掲載した交換希望ページを生成する交換希望ページ生成手段２ｆと、落札したことを通知する電子メール通知手段３ｈと、落札した入札者が送信した交換希望物品情報を、新たな交換対象となる物品の出品情報として前記出品物データベースを更新するデータベース更新手段３ｋとを備えている。【選択図】図２
2010128601.tif 000002
【特許請求の範囲】
【請求項１】
入札者が使用する端末装置から、ネットワークを介してアクセス可能な物品交換支援ページを提供する物品交換支援装置であって、
交換対象となる物品に関する情報が出品情報として格納される出品物データベースと、
前記出品情報を掲載する出品物紹介ページを生成する出品物紹介ページ生成手段と、
前記端末装置から送信される前記交換対象となる物品と交換を希望する２つ以上の物品に関する情報を交換希望物品情報として受け付け、前記交換希望物品情報を掲載した交換希望ページを生成する交換希望ページ生成手段と、
前記交換希望物品情報の中から選択された交換希望物品情報の送信者である入札者へ落札したことを通知する通知手段と、
落札した入札者が送信した交換希望物品情報を、新たな交換対象となる物品の出品情報として前記出品物データベースを更新するデータベース更新手段とを備えたことを特徴とする物品交換支援装置。
【請求項２】
前記交換希望ページ生成手段は、交換希望物品情報に含まれる交換理由情報を交換希望ページに含めて生成する請求項１記載の物品交換支援装置。
【請求項３】
前記出品物データベースには、それぞれの出品情報について、出品物紹介ページに掲載された期間を示す掲載期間情報が関連付けられており、
前記掲載期間情報が所定期間を過ぎた出品情報を出品物紹介ページから除外する期間管理手段を設けた請求項１または２記載の物品交換支援装置。
【発明の詳細な説明】
【技術分野】
【０００１】
本発明は、不必要となった物品と、この物品を必要とする者が所有する物品との交換を支援する物品交換支援装置に関する。
【背景技術】
【０００２】
個人が物品を売買する場合に、インターネットでのオークションサイトを利用するケースが多くなってきた。オークションサイトでは、出品者が不必要となった物品を出品し、入札者が希望金額で入札する。希望金額が入札者中て最高金額であれば物品を落札することができる。このようなオークションサイトに関する技術が、特許文献１に記載されている。
【０００３】
特許文献１に記載のオークションシステムは、端末装置と、その端末装置と通信網を介して通信するオークションサーバとから構成されるものである。このオークションシステムは、端末装置がオークションの開始・実行に必要となるオークション情報を取得し、このオークション情報を記載した電子メールをオークションサーバ宛てに送信することで、電子メールを受信したオークションサーバが、受信した電子メールのオークション情報に基づいて所定の項目の値を抽出し、抽出された値を利用してオークション画面情報を構成し、構成されたオークション画面情報を用いてオークションの実行を行なう。
【０００４】
【特許文献１】特開２００８−２０４１３７号公報
【発明の開示】
【発明が解決しようとする課題】
【０００５】
特許文献１に記載のオークションシステムや、インターネット上に開設された一般的なオークションサイトでは、出品者が売りたい物品を出品し、この物品を必要とする者が入札者となって購入するだけなので、出品者の家庭にある不必要な物が落札者へ移動するだけである。つまり、落札者の家庭では、必要な物をネットオークションで調達しても、不必要な物をネットオークションに出品したり、リサイクルショップに買い取って貰ったりしない限り、邪魔な不必要な物はごみとして廃却されることになってしまう。
家庭では、例えば、お中元やお歳暮、一人暮らしで使用していたが結婚を期に買い直したため不必要となった電化製品、捨てるに捨てられない物など、不必要な物が増加する傾向にある。
不必要な物であってもこれを必要とする人はいる筈であるが、古物を流通させるリサイクルセンターや古物市などがあったとしても、押入の奥にしまった不必要な物は他人の目には触れにくく、流通しにくい。
不必要な物であっても、インターネットサイトで閲覧可能な状態とすれば、この物を必要とする人の目にとまり、引き取られることで、再度、活用されることになる。
【０００６】
そこで本発明は、不必要な物の出品を促進させることで、不必要な物を活用できる状態とし、ごみとなってしまう量を減らして環境問題に配慮することが可能な物品交換支援装置を提供することを目的とする。
【課題を解決するための手段】
【０００７】
本発明は、入札者が使用する端末装置から、ネットワークを介してアクセス可能な物品交換ページを提供する物品交換支援装置であって、交換対象となる物品に関する情報が出品情報として格納される出品物データベースと、前記出品情報を掲載する出品物紹介ページを生成する出品物紹介ページ生成手段と、前記端末装置から送信される前記交換対象となる物品と交換を希望する２つ以上の物品に関する情報を交換希望物品情報として受け付け、前記交換希望物品情報を掲載した交換希望ページを生成する交換希望ページ生成手段と、前記交換希望物品情報の中から選択された交換希望物品情報の送信者である入札者へ落札したことを通知する通知手段と、落札した入札者が送信した交換希望物品情報を、新たな交換対象となる物品の出品情報として前記出品物データベースを更新するデータベース更新手段とを備えたことを特徴とする。
【０００８】
本発明によれば、出品物データベースに格納された出品情報を、出品物紹介ページ生成手段が出品物紹介ページを生成して掲載し、この出品物紹介ページを閲覧した入札者は、交換対象となる物品と交換を希望する物品に関する情報を端末装置から送信することで、入札することができる。このとき、入札者は、交換を希望する物品を２つ以上とする。交換希望ページ生成手段により生成された交換希望ページの交換希望物品情報の中から交換対象となる物品と交換する物品が選択されると、この交換希望物品情報の送信者である入札者へ落札したことを通知手段により通知することで、入札者は落札したことを知ることができる。そして、データベース更新手段が落札した入札者が送信した交換希望物品情報を出品情報として出品物データベースに格納することで、１つの物品が２つ以上の物品と交換されることになる。これを繰り返すことで、家庭内にある不必要な物品が出品物データベースに蓄積され、この物品を必要とする者へ渡すことができる。
【０００９】
前記交換希望ページ生成手段は、交換希望物品情報に含まれる交換理由情報を交換希望ページに含めて生成するのが望ましい。交換希望ページに交換理由があると、物品同士の価値比較だけでなく、交換したい理由に基づいて落札者の選出を検討することができる。
【００１０】
前記出品物データベースには、それぞれの出品情報について、出品物紹介ページに掲載された期間を示す掲載期間情報が関連付けられており、前記掲載期間情報が所定期間を過ぎた出品情報を出品物紹介ページから除外する期間管理手段を設けることができる。期間管理手段が出品物紹介ページに掲載される期間を管理することで、出品情報が長く放置されることを防止することができる。また、除外された物品は入札者が提供する物品の交換ではなく、売却したり、介護施設や病院などに寄付などしたりすることも可能となる。
【発明の効果】
【００１１】
本発明は、交換対象となる物品は２つの物品で入札して交換され、そして２つの物品は新たな交換対象の物品となることで、次々と家庭内の不必要な物品が蓄積され、必要とする入札者へ渡すことができる。よって、本発明は、不必要な物の出品を促進させることで、不必要な物を活用できる状態とし、ごみとなってしまう量を減らして環境問題に配慮することが可能である。
【発明を実施するための最良の形態】
【００１２】
本発明の実施の形態に係る物品交換支援装置について、図面に基づいて説明する。図１は本発明の実施の形態に係る物品交換支援装置として機能するウェブサーバを用いた物品交換支援システムを示す図、図２は図１に示すウェブサーバの構成を示す図、図３は、ウェブサーバの出品物データベースに格納される出品情報を示す図である。
【００１３】
図１に示すように物品交換支援システム１は、入札者が使用する端末装置２と、この端末装置２が、ネットワークの一例であるインターネットＷを介してアクセス可能なウェブページを提供するウェブサーバ３とを備えている。
【００１４】
端末装置２は、インターネットＷ上に開設されたウェブサーバ３や、他のウェブサーバなどに、ＨＴＴＰ（HyperText Transfer Protocol）によりアクセス可能なデスクトップタイプやノートブックタイプのパーソナルコンピュータ、携帯電話装置、またはインターネットをアクセス可能なテレビ受信機や、コントローラでゲーム画面を操作するゲーム装置などである。デスクトップタイプやノートブックタイプのパーソナルコンピュータでは、キーボードやマウス、タブレット、タッチパッド、タッチパネルなどを操作してアクセスする。テレビ受信機ではリモコンを操作してアクセスする。ゲーム装置ではコントローラを操作してアクセスする。
【００１５】
端末装置２をデジタルカメラ付きの携帯電話装置とした場合には、交換をしたい物品を写真に撮って、すぐウェブサーバ３にアクセスすることで入札することができるので、好適である。
【００１６】
ウェブサーバ３は、物品交換支援ページを提供する物品交換支援サイトである。ウェブサーバ３は、通信手段３ａと、表示手段３ｂと、入力手段３ｃと、出品物データベース３ｄと、出品物紹介ページ生成手段３ｅと、交換希望ページ生成手段３ｆと、管理者ページ生成手段３ｇと、電子メール通知手段３ｈと、配送依頼ページ生成手段３ｊと、データベース更新手段３ｋと、期限管理手段３ｍとを備えている。
【００１７】
通信手段３ａは、端末装置２からのアクセス信号を受信したり、ウェブページを要求元の端末装置２へ送信したりする機能を備えている。この通信手段３ａは、ＬＡＮインタフェースとすることができる。
表示手段３ｂは、ＬＣＤ（Liquid Crystal Display）やＣＲＴ（Cathode Ray Tube）、有機ＥＬ（Electro-Luminescence）とすることができる。また入力手段３ｃは、キーボード、マウスとすることができる。
【００１８】
出品物データベース３ｄは、交換対象となる物品に関する情報が出品情報として格納される記憶装置である。ここで、出品物データベース３ｄに格納された出品情報は、図３に示すように、出品物を特定するための商品ナンバー、商品名、出品物の種類に応じて割り当てられるカテゴリＮｏ１〜３、出品物の写真画像である画像Ｎｏ１，２、出品物が保管倉庫に搬入された日を示す倉入日、その担当を示す倉入担当、検査した日を示す検査日、その検査を担当した検査担当、その検査の結果を示す検品合否フラグ、出品物の現況を示す交換販売フラグ、出荷先を特定するための出荷先ナンバー、出荷した日を示す出荷日、その出荷の担当者を示す出荷担当、搬送方法を示す扱い便、扱い担当者を示す扱い担当者などである。商品ナンバーは、登録日と県ナンバーとシーケンスナンバーと提供枝番とを組み合わせた番号である。県ナンバーは出品物がどこの県の倉庫に格納されているかを示すものである。商品ナンバーには登録期限が関連付けられており、カテゴリＮｏ１〜３にはカテゴリ名１〜３が関連付けられており、画像Ｎｏ１，２には画像形式が関連付けられている。
【００１９】
出品物紹介ページ生成手段３ｅは、出品物データベース３ｄから出品情報を読み込み、この出品情報を掲載した出品物紹介ページを生成する。
交換希望ページ生成手段３ｆは、出品物と交換を希望する２つ物品に関する情報を交換希望物品情報として受け付け、この２つの物品に関する情報を掲載した交換希望ページを生成する。管理者ページ生成手段３ｇは、管理者が操作するページを生成する。
電子メール通知手段３ｈは、入札者へ落札したことを電子メールにより通知する通知手段である。配送依頼ページ生成手段３ｊは、落札した入札者が、出品物の受け取り日と交換を希望する２つの物品の引き渡しとを決定するためのページを生成する。データベース更新手段３ｋは、落札した入札者が交換のために用意した物品を新たな出品物として、出品物データベース３ｄを更新する。期限管理手段３ｍは、出品物紹介ページに掲載される出品物の掲載期間を関するものである。
【００２０】
以上のように構成された本発明の実施の形態に係るウェブサーバを、図４から図１２に基づいて説明する。図４はトップページを示す図、図５は新着情報紹介ページを示す図、図６は「家電」ページを示す図、図７は商品の詳細ページを示す図、図８は受付ページを示す図、図９は登録終了ページを示す図、図１０（Ａ）は入札物品登録照会ページを示す図、同図（Ｂ）は入札者照会ページを示す図、図１１は落札決定ページを示す図、図１２は配送依頼ページを示す図である。
まず、予め出品物データベース３ｄにはいくつかの出品物に関する出品情報が登録されているものとする。
【００２１】
物品の交換をしようと考えた入札者は端末装置２上で動作する閲覧ソフトを操作してＵＲＬ（Uniform Resource Locator）で示される物品交換支援サイトをアクセスする。端末装置２は物品交換支援ページに対する表示要求をウェブサーバ３へ送信する。
【００２２】
端末装置２からの表示要求を通信手段３ａを介して受信した出品物紹介ページ生成手段３ｅは、まず、入札者に地域を特定してもらうために、図４に示す日本地図とその両側にバーナー広告が表示された物品交換支援ページのトップページＰ０を端末装置２へ送信する。この日本地図はクリッカブルマップで構成されている。入札者は、居住している場所を県単位で日本地図上をクリックすることで指定する。
【００２３】
これは、落札された出品物を各県に所在する倉庫から落札者の元へ配送する際に、コスト抑制のために宅配業者に依頼せず、各県に所在する配送担当者自らが配送するような場合や、地域ごとの宅配業者との連携により配送を行うような場合に、遠地からの入札者では、落札品の配送や、交換したい物品の引き取りが困難なためである。従って、まず、トップページＰ０の日本地図にて入札者に居住している県を指定してもらうことで、後述する出品物紹介ページでの出品物をその県に属するものに限定して、遠地の倉庫に格納されている出品物を落札するようなことがおきないようにしている。
【００２４】
端末装置２は指定された日本地図上の位置を座標データとしてサーバ３へ送信する。
出品物紹介ページ生成手段３ｅは、座標データから入札者が指定した日本地図上の位置に該当する「県ナンバー」を特定し、この「県ナンバー」に基づいて出品物データベースを検索し、特定された「県ナンバー」を含む「商品ナンバー」の出品情報を読み出して、物品交換支援ページの新着情報紹介ページを生成する。図４に示す新着情報紹介ページＰ１には、左側に位置する基本リンク領域Ａ１１と、上段に位置する出品物画像領域Ｐ１２と、中央に位置する紹介領域Ｐ１３とが設けられ、主として新しく出品されたものを紹介するページである。
【００２５】
基本リンク領域Ａ１１には、このサイトの運用規約が掲載されたページへのリンクと、会員登録するためのページへのリンクと、掲示板ページへのリンクとが表示されている。また、出品物をカテゴリごとに分類したページへのリンクが表示されている。出品物画像領域Ｐ１２には、出品物の中から新しく出品された順に、出品物の画像データが表示されている。紹介領域Ｐ１３には、最近の出品物をカテゴリごとに分類したページへのリンクと、おすすめ商品情報を掲載したページへのリンクと、お客の声として感想が掲載されたページへのリンクが設けられている。
【００２６】
このように新着情報紹介ページＰ１は、出品物のカテゴリで、目的の商品が掲載されたページへ入札者を案内したり、新着情報を告知したり、他の入札者の感想を閲覧したりする出品物紹介ページとなっている。
【００２７】
入札者は、この新着情報紹介ページＰ１を閲覧ソフトにより参照して、例えば、基本リンク領域Ａ１１の「家電」ページへのリンクを選択したものとする。この選択により端末装置２から「家電」ページの表示要求がウェブサーバ３へ送信される。
【００２８】
この表示要求により出品物紹介ページ生成手段３ｅは、図６に示す「家電」ページＰ２を、出品物データベース３ｄに格納された出品物情報の中から、カテゴリ「家電」として割り当てられたカテゴリＮｏ１を抽出し、このカテゴリに属する出品物情報に基づいて生成する。生成された「家電」ページＰ２は、通信手段３ａを介して端末装置２へ送信される。
【００２９】
「家電」ページＰ２では、左側に位置する基本リンク領域Ａ１１がそのまま表示されている。そして、出品物データベース３ｄから抽出されたカテゴリ「家電」の出品物に関する出品物情報が表示されている。このように「家電」ページＰ２は、このカテゴリに属する出品物の中から交換したい物品を選択することができる出品物紹介ページとなっている。
【００３０】
入札者は、「家電」ページＰ２に掲載された家電の中から「ステレオ」を選択したものとする。この選択は、「ステレオ」として表示された写真画像上をマウスでクリックする。クリックすると、端末装置２から選択した旨の信号がウェブサーバ３へ送信される。
【００３１】
「ステレオ」を選択した旨の信号を受信した出品物紹介ページ生成手段３ｅは、図７に示す商品の詳細ページＰ３を生成して端末装置２へ送信する。
商品の詳細ページＰ３では、左側に位置する基本リンク領域Ａ１１がそのまま表示されている。そして、選択した「ステレオ」に関する詳細情報（写真画像を含む）が表示されている。この詳細情報は、出品物紹介ページ生成手段３ｅが出品物データベース３ｄから選択された「ステレオ」（例えば、カテゴリＮｏ２。）に関連付けられた出品物情報を読み込むことで表示される。このように商品の詳細ページＰ３では、選択した物品の詳細の情報を把握することができる出品物紹介ページとなっている。
【００３２】
入札者は、この「ステレオ」が気に入れば、「この商品が欲しい」と表示された「決定」ボタンＢ１をマウスでクリックすることで押下する。クリックすると、端末装置２から「決定」ボタンＢ１を押下した旨の信号がウェブサーバ３へ送信される。
【００３３】
「決定」ボタンＢ１を押下した旨の信号を受信した交換希望ページ生成手段３ｆは、図８に示すお客様情報の受付ページＰ４を生成して、端末装置２へ送信する。
お客様情報の受付ページＰ４には、氏名入力欄Ｒ１と、メールアドレス入力欄Ｒ２と、交換理由入力欄Ｒ３と、第１交換物品入力欄Ｒ４と、第２交換物品入力欄Ｒ５と、「確認」ボタンＢ２と、「前に戻る」ボタンＢ３とが設けられている。
【００３４】
入札者は、氏名入力欄Ｒ１に自分の氏名を入力し、メールアドレス入力欄Ｒ２にパーソナルコンピュータで使用するメールアドレスと、携帯電話装置で使用するメールアドレスとのいずれか一方、または両方を入力する。
【００３５】
また、入札者は、交換理由入力欄Ｒ３に欲しい理由を記入する。例えば、「現在、ラジカセが壊れていてＣＤやラジオを聞くことができません。」などを入力する。
【００３６】
第１交換物品入力欄Ｒ４と、第２交換物品入力欄Ｒ５とに、出品物と交換する物品の種類、使用期間、状態などを、特徴として入力すると共に、写真画像が格納されているパスをパス入力欄Ｒ６に入力する。
入力が終わったら「確認」ボタンＢ２をマウスでクリックすることで押下する。クリックすると、交換を希望する２つ物品に関する交換希望物品情報と共に、「確認」ボタンＢ２を押下した旨の信号が、端末装置２からウェブサーバ３へ送信される。
【００３７】
「確認」ボタンＢ２を押下した旨の信号を受信した交換希望ページ生成手段３ｆは、交換希望物品情報に基づいて、図９に示す登録終了ページＰ５を生成して、端末装置２へ送信する。
【００３８】
入札者は、登録終了ページＰ５のこのページにより登録が終了したことを確認したら、トップページへ戻る「ＴＯＰへ戻る」ボタンＢ４を押下する。このようにして入札者は、交換対象となる物品に対して入札する。
【００３９】
管理者は、管理者ページ生成手段３ｇにより生成され、表示手段３ｂにより表示された図１０（Ａ）に示す入札物品登録照会ページＰ６を参照して、交換対象となる物品に対して入札の一覧を確認することができる。
管理者は、この一覧の中から参照したい物品に対応するチェックボックスＣ１を入力手段３ｃのマウスを操作することでチェックして、「選択」ボタンＢ５を押下する。「選択」ボタンＢ５を押下により管理者ページ生成手段３ｇは、選択された物品のうち表示可能な入札件数分を、図１０（Ｂ）に示す入札者照会ページＰ７として生成する。
【００４０】
管理者は、入札者照会ページＰ７に表示された入札の中から参照したい入札に対応するチェックボックスＣ２をチェックして、「選択」ボタンＢ６を押下する。「選択」ボタンＢ６を押下により管理者ページ生成手段３ｇは、図１１に示す落札決定ページＰ８を表示する。
【００４１】
落札決定ページＰ８では、入札したときの交換したい２つの物品を示す交換希望物品情報と、交換対象となる出品物を示す出品情報とが表示されている。
管理者は、この落札決定ページＰ８の内容を確認して、落札者を選択する。この選択は「決定」ボタンＢ７を押下することで決定する。管理者は、交換したい理由を参照することで、物品同士の価値比較だけでなく、交換したい理由に基づいて落札者の選出を検討することができるので、入札者の状況を勘案して落札者を決定することができる。落札者が選択されると、電子メール通知手段３ｈが交換希望物品情報に含まれるメールアドレス宛へ落札した旨の電子メールを送信する。
【００４２】
この電子メールには、落札したことを示すメッセージと、配送依頼ページをアクセスするためのＵＲＬとが記載されている。落札者は、この電子メールに記載されたＵＲＬに基づいてウェブサーバ３をアクセスする。
【００４３】
端末装置２からの配送依頼ページの表示要求を受信した配送依頼ページ生成手段３ｊは、図１２に示す配送依頼ページＰ９を生成して、落札者が使用する端末装置２へ送信する。配送依頼ページＰ９では、入札したときの交換したい２つの物品を示す交換希望物品情報と、交換対象となる出品物を示す出品情報とが表示されているので、このページでも落札した内容を再確認することができる。また、配送依頼ページＰ９では、落札者の個人情報である住所を入力する住所入力欄Ｒ７と、電話番号を入力する電話番号入力欄Ｒ８と、配送時間を選択するチェックボックスＣ３などが表示されている。落札者は、配送依頼ページＰ９に必要事項を記入して、「決定」ボタンＢ８を押下することで、ウェブサーバ３へ送信される。
【００４４】
データベース更新手段３ｋは、落札された出品物を示す出品情報に、配送依頼ページＰ９にて入力された個人情報に基づいて配送先の住所や電話番号などを関連付ける。これにより落札された出品物の配送伝票が作成される。
また、配送依頼ページＰ９により入力された段階で、または落札者の２つの交換物品を引き取った段階で、２つの交換物品を示す交換希望物品情報を新たな交換対象となる物品の出品情報として出品物データベース３ｄを更新する。
【００４５】
このようにして１つの物品が２つの物品と交換されたことになる。これを繰り返すことで、家庭内にある不必要な物品が出品物データベース３ｄに蓄積され、この物品を必要とする者へ渡すことができる。従って、次々と家庭内の不必要な物品が蓄積され、必要とする入札者へ渡すことができる。よって、本実施の形態に係る物品交換支援装置として機能するウェブサーバ３は、不必要な物の出品を促進させることで、不必要な物を活用できる状態とし、ごみとなってしまう量を減らして環境問題に配慮することが可能である。
【００４６】
交換対象となる出品物は、期間管理手段３ｍにより出品物紹介ページＰ１〜Ｐ３に掲載開始された日からの期間が管理される。所定日数を経過しても応札がない場合には、出品物データベース３ｄから除外することを管理者に通知して、管理者が承認操作を行うことで、出品物データベース３ｄから除外される。
長期間経過した出品物は、出品物データベース３ｄから除外されることで、他に売却して収益を得ることができる。この収益は、物品交換支援サイトの運営費に充当したり、介護施設や地域などに寄付して社会に貢献したりすることができる。
【００４７】
なお、本実施の形態では、出品物１つに対して２つの物品を交換する例を示しているが、３つ以上の物品と交換する場合でも、交換希望ページにて３つ以上の物品を入力可能とすることで実現することができる。
また、本実施の形態では、落札者に対して通信電子メールにより落札した旨の連絡を取っているが、ファクシミリによる自動送信による連絡でも、電話による自動音声メッセージ送信による連絡でもよい。
また、図４から図１２では、パーソナルコンピュータからのアクセスを対象としたウェブページの例を示しているが、携帯電話装置を対象とした小さい画面用のウェブページとすることも可能である。
【００４８】
本実施の形態では、落札者を管理者が選択しているが、出品物と、入札者全員の物品と、交換したい理由とを紹介するための投票ページを生成する投票ページ生成手段と、投票ページを閲覧した者が交換したい理由などを参照して投票を行い、この投票数から落札者を決定する投票集計手段とをサーバ３に設けるようにしてもよい。そうすることで、出品物の数が多く、入札者の数が多くなり、管理者だけでは対応が図れなくなっても、ある程度の公平性を保つことができる。落札者の決定を投票とした場合では、端末装置２のＩＰアドレスを識別することで重複投票を防止するのが望ましい。
【産業上の利用可能性】
【００４９】
本発明は、不必要とする物品が必要とする者へ渡っていく度に、物品が蓄積されていくので、不必要な物品を再活用するインターネットサイトには好適である。
【図面の簡単な説明】
【００５０】
【図１】本発明の実施の形態に係る物品交換支援装置として機能するウェブサーバを用いた物品交換支援システムを示す図である。
【図２】図１に示すウェブサーバの構成を示す図である。
【図３】ウェブサーバの出品物データベースに格納される出品情報を示す図である。
【図４】トップページを示す図である。
【図５】新着情報紹介ページ
【図６】「家電」ページを示す図である。
【図７】商品の詳細ページを示す図である。
【図８】受付ページを示す図である。
【図９】登録終了ページを示す図である。
【図１０】（Ａ）は入札物品登録照会ページを示す図、（Ｂ）は入札者照会ページを示す図である。
【図１１】落札決定ページを示す図である。
【図１２】配送依頼ページを示す図である。
【符号の説明】
【００５１】
１  物品交換支援システム
２  端末装置
３  ウェブサーバ
３ａ  通信手段
３ｂ  表示手段
３ｃ  入力手段
３ｄ  出品物データベース
３ｅ  出品物紹介ページ生成手段
３ｆ  交換希望ページ生成手段
３ｇ  管理者ページ生成手段
３ｈ  電子メール通知手段
３ｊ  配送依頼ページ生成手段
３ｋ  データベース更新手段
３ｍ  期間管理手段
Ｐ０  トップページ
Ｐ１  新着情報紹介ページ
Ｐ２  「家電」ページ
Ｐ３  商品の詳細ページ
Ｐ４  受付ページ
Ｐ５  登録終了ページ
Ｐ６  入札物品登録照会ページ
Ｐ７  入札者照会ページ
Ｐ８  落札決定ページ
Ｐ９  配送依頼ページ
Ａ１１  基本リンク領域
Ｐ１２  出品物画像領域
Ｐ１３  紹介領域
Ｒ１  氏名入力欄
Ｒ２  メールアドレス入力欄
Ｒ３  交換理由入力欄
Ｒ４  第１交換物品入力欄
Ｒ５  第２交換物品入力欄
Ｒ６  パス入力欄
Ｒ７  住所入力欄
Ｒ８  電話番号入力欄
Ｂ１，Ｂ７，Ｂ８  「決定」ボタン
Ｂ２  「確認」ボタン
Ｂ３  「前に戻る」ボタン
Ｂ４  「ＴＯＰへ戻る」ボタン
Ｂ５，Ｂ６  「選択」ボタン
Ｃ１，Ｃ２，Ｃ３  チェックボックス
【図１】
2010128601.tif 000003
【図２】
2010128601.tif 000004
【図３】
2010128601.tif 000005
【図４】
2010128601.tif 000006
【図５】
2010128601.tif 000007
【図６】
2010128601.tif 000008
【図７】
2010128601.tif 000009
【図８】
2010128601.tif 000010
【図９】
2010128601.tif 000011
【図１０】
2010128601.tif 000012
【図１１】
2010128601.tif 000013
【図１２】
2010128601.tif 000014